(57)【要約】      （修正有）【課題】システム、及び方法は、損傷しなければ可能ではなかった挿入又は据え付け方向から反対方向に動くときに係止接続が接続解除されることを可能にする。【解決手段】第１のコネクタ・コンポーネント１２及び第２のコネクタ・コンポーネント１４が第１の方向３６に動くときに第１のラッチ掛け位置２０及び第２のラッチ掛け位置２２を有し、制約機能部が克服されるときに第２の方向の移動も可能である、双方向ラッチ掛け装置又はコネクタが説明される。説明されるように、磁石反力、空気圧、ばね力、及び破損させることができる力は、第２の方向のさらなる移動が制約機能部を克服しなければならないように組み込まれてもよい。双方向ラッチ掛け装置は、例えば、植込み可能な医療機器、ドアパネル、飛行機パネル、及びドリリング装置のような製造品と共に用いられてもよい。【選択図】図１Ａ
2013122319.tif 000002
【特許請求の範囲】
【請求項１】
コネクタであって、
第２のコネクタ・コンポーネントと嵌合される第１のコネクタ・コンポーネントと、
前記第１のコネクタ・コンポーネント又は前記第２のコネクタ・コンポーネントの中又は上に位置する溝と、
前記第１のコネクタ・コンポーネント又は前記第２のコネクタ・コンポーネントのうちの他方の中又は上に位置する一対の溝と、
前記溝が２つの側壁と底壁とを有し、
前記一対の溝が第１の深さを有する第１の溝と、前記第１の深さとは異なる第２の深さを有する第２の溝とを備え、
前記第１の溝及び前記溝の中に位置決めされ、前記第２の溝及び前記溝の中におかれるように移動可能である、傾斜コイルばねと、
を備え、制約機能部が、前記第２の溝及び前記溝による係合から前記傾斜コイルばねを制約するために、挿入力によって克服されるまで前記第１のコネクタ・コンポーネントが前記第２のコネクタ・コンポーネントに対して動くのを防ぐ、
コネクタ。
【請求項２】
前記第１のコネクタ・コンポーネントがピン又はハウジングであり、前記第２のコネクタ・コンポーネントがピン又はハウジングのうちの他方である、請求項１に記載のコネクタ。
【請求項３】
前記第２のコネクタ・コンポーネントが、製造品に（ｉｓ）取り付けられる、請求項１に記載のコネクタ。
【請求項４】
植込み可能な医療機器をさらに備え、前記第１のコネクタ・コンポーネントが、前記植込み可能な医療機器のヘッダの中に位置する、請求項１に記載のコネクタ。
【請求項５】
前記制約機能部が、つる巻ばね、反力、波形ばね、又は空気圧である、請求項１に記載のコネクタ。
【請求項６】
前記制約機能部が開スイッチである、請求項１に記載のコネクタ。
【請求項７】
前記制約機能部が、ボアの内部に位置する、つぶすことができる又は偏向させることができるコンポーネントである、請求項１に記載のコネクタ。
【請求項８】
前記第１のコネクタ・コンポーネント又は前記第２のコネクタ・コンポーネントに取り付けられた製造品をさらに備える、請求項１に記載のコネクタ。
【請求項９】
コネクタを製造する方法であって、
溝を有する第１のコネクタ・コンポーネントを形成すること、
一次溝及び二次溝を有する第２のコネクタ・コンポーネントを形成すること、
第１のばね保持スペースをもつ前記溝と前記一次溝との間の第１の共通の溝と、前記第１の共通の溝よりも大きい第２のばね保持スペースをもつ前記溝と前記二次溝との間の第２の共通の溝をサイズ設定すること、
挿入力によって克服されるまで前記第１のコネクタ・コンポーネントと前記第２のコネクタ・コンポーネントとの間の相対運動を制限するために制約機能部を形成すること、
を含み、
前記第１の共通の溝が、傾斜コイルばねを受け入れ及びその長軸に沿って前記傾斜コイルばねを装填するように寸法設定され及び構成され、
前記第２の共通の溝が、傾斜コイルばねを受け入れ及びその長軸に沿って前記ばねを装填しないように寸法設定され及び構成される、
方法。
【請求項１０】
前記第１のコネクタ・コンポーネントがピン又はハウジングであり、前記第２のコネクタ・コンポーネントがピン又はハウジングのうちの他方である、請求項９に記載の方法。
【請求項１１】
前記第１のコネクタ・コンポーネント又は前記第２のコネクタ・コンポーネントに製造品を取り付けるステップをさらに含む、請求項９に記載の方法。
【請求項１２】
植込み可能な医療機器のヘッダの中に前記第１のコネクタ・コンポーネントを位置付けることをさらに含む、請求項９に記載の方法。
【請求項１３】
前記制約機能部が、間隔をおいて配置された複数の一次溝を備える、請求項９に記載の方法。
【請求項１４】
前記制約機能部が、ボアの内部に位置する磁石反力、つる巻ばね、シール、空気圧、開スイッチ、偏向可能な機能部、又は破損させることができる機能部のうちの少なくとも１つである、請求項９に記載の方法。
【請求項１５】
コネクタであって、
ボア及びハウジング溝構成を有するハウジング溝を備えるハウジングと、
ピン溝構成を有するピン溝を備えるピンと、
前記ハウジング溝又は前記ピン溝に隣接して位置する第２の溝であり、前記ハウジング溝構成及び前記ピン溝構成とは異なる第２の溝深さをもつ第２の溝構成を有する、第２の溝と、
前記ハウジング溝と前記ピン溝との組合せによって画定される第１の共通の溝の中の第１のばね位置においてボアの中に配置され、前記ハウジング溝と前記第２の溝との組合せ又は前記ピン溝と前記第２の溝との組合せによって画定される第２の共通の溝にピン及びハウジングに対して移動可能である、軸方向傾斜コイルばねと、
を備え、挿入力によって克服されるまで前記ハウジングと前記ピンとの間の相対運動を制約して前記軸方向傾斜コイルばねが前記第２の共通の溝に動くことを制約するために制約機能部が提供される、
コネクタ。
【請求項１６】
前記ピン又は前記ハウジングに取り付けられる製造品をさらに備える、請求項１５に記載のコネクタ。
【請求項１７】
植込み可能な医療機器をさらに備え、前記第１のハウジングが前記植込み可能な医療機器のヘッダの中に位置する、請求項１５に記載のコネクタ。
【請求項１８】
前記制約機能部が、ボアの内部に位置する磁石反力、つる巻ばね、シール、空気圧、開スイッチ、偏向可能な機能部、又は破損させることができる機能部のうちの少なくとも１つである、請求項１５に記載のコネクタ。
【請求項１９】
前記第２の溝が、前記軸方向傾斜コイルばねと電気的に連通するためのその中に配置されるリング及び導電性区域を備える、請求項１５に記載のコネクタ。
【請求項２０】
前記第１のコネクタ・コンポーネント、前記第２のコネクタ・コンポーネント、又はこの両方に接続される電気ワイヤをさらに備える、請求項１５に記載のコネクタ。
【請求項２１】
前記制約機能部が、内側溝及び傾斜コイルばねを備える内側ボアにラッチ掛けされる外部溝を有するピンを備えるサブコネクタ組立体である、請求項１５に記載のコネクタ。
【発明の詳細な説明】
【技術分野】
【０００１】
関連出願の相互参照
これは、その内容が参照により本明細書に明確に組み込まれる２０１１年１２月８日に出願された米国特許仮出願第６１／５６８，５２９号の通常の特許出願（ｒｅｇｕｌａｒ  ｕｔｉｌｉｔｙ  ａｐｐｌｉｃａｔｉｏｎ）である。この出願は、その内容が参照により本明細書に明確に組み込まれる２０１１年９月２１に出願された米国特許出願整理番号第１３／２３９，１５３号に関するものであり、これを参照により明確に組み込む。
【０００２】
ラッチ掛け又は係止装置及び組立体並びにこれに関連する方法が、第１の方向に挿入されるときにラッチを掛け、第２の方向に引き出されるときに係止し、しかし第１の方向にさらに挿入されるときに第２の方向のラッチ掛けを許すラッチ掛け装置に延長される具体的な説明と共に本明細書で一般に説明される。装置、組立体、及び方法は、双方向のラッチ掛けが可能である。本発明の装置、組立体、及び方法のさらなる態様は、制約機能部が克服されて第２の方向のラッチ掛けが可能となるまで、第１の方向のさらなる挿入を制限するための反力、位置合わせスロット、シャーピン、波形ばね、破断ブロックなどのような制約機能部を含む。
【背景技術】
【０００３】
従来の接続機構は、係止又はラッチ掛けを達成するために、ハウジングとピンのような第１のコネクタ・コンポーネントと第２のコネクタ・コンポーネントとの間で傾斜コイルばねと具体的な溝の幾何学的形状を使用し、例えば、米国特許第４，６７８，２１０号及び第５，０８２，３９０号を参照されたい。係止装置の場合には、装置は恒久的に係止されることになり、これは、傾斜コイルばねを恒久的に損傷させずに装置を逆方向にできないことを意味する。ラッチ掛け装置の場合には、装置は、ラッチ掛け解除する、すなわち、ばねを損傷させずに逆方向にすることができる。したがって、ラッチ掛けは、係止型又はラッチ掛け解除又はラッチ掛け解除可能型を含むように理解される。これは、ばねが第１のコネクタ・コンポーネントと第２のコネクタ・コンポーネントとの間の相対運動をもはや妨げないようにばねの短軸を圧縮できるようにする溝の幾何学的形状を組み込むことによって可能にされる。
【発明の概要】
【発明が解決しようとする課題】
【０００４】
係止は、テーパした底溝がハウジングの中に存在し、且つ軸方向ばねを保持する場合、及びテーパした底溝がばねを収容する円筒形部品上の対応する溝と位置合わせされる場合に、２つの嵌合する部品（例えば、円筒形部品又はシャフトとハウジング）の間で達成される。テーパした底溝は、挿入時にばねを短軸に沿って圧縮して据え付けを可能にするが、ラッチ掛けされた後でばねを傾けること又は回転させることなどによって逆方向に動かすときの除去時には可能にしないような方法で構成され、例えば寸法設定され及び形状設定され、このためラッチ掛け解除は、ばねを長軸に沿って圧縮することを必要とし、これは、ばねを破壊しなければ可能ではない。ばねは、溝内のその位置に起因して除去時に長軸に沿って圧縮されないので、ラッチ掛け解除されず、係止されたままである。ばねは、円筒形部品の除去を試みるときに長軸に沿って強制的に圧縮され、係止を保証するために著しく又は顕著には圧縮されない。したがって、「係止された」装置の除去は、強制的に分解される場合にばねの恒久的な損傷を引き起こす。また、これは長軸に沿った最小限の圧縮だけが許される傾斜コイルばねの特徴に起因する。
【課題を解決するための手段】
【０００５】
本発明の装置、システム、及び方法は、上述のように以前はばねを損傷しなければ可能ではなかった挿入又は据え付け方向から反対方向に動くときに係止接続が接続解除されることを可能にする。１つの例では、装置、システム、及び方法は、傾斜コイルばねが二次溝に動き、次いで回転してその弛緩された垂直位置に戻れるようにするために一次溝に加えて十分な深さの二次溝を組み込むこと又は提供することを含む。一次溝の中にあるときとは異なり、二次溝にあるときにばねは回転に対して保持されず、挿入中に経験する反対方向の回転の余地をもつ。二次溝の前縁は、傾斜コイルばねと接触し、これを回転させ、したがって除去又は係止解除のために回転させられた状態で傾斜コイルばねが二次溝から除去され及び第１の溝の中に戻ることを可能にする。ここで、傾斜コイルばねは、円筒形部品を完全にラッチ掛け解除することができるように配向される。
【０００６】
一例では、ばねが二次溝の中に動くことはより難しいが不可能ではないようにするために制約機能部がコネクタ組立体の中に組み込まれる。この付加された制約機能部は、制約機能部を克服して二次溝の中へのばねのさらなる移動を許し、その後の係止解除又はラッチ掛け解除のためのばねの回転を可能にするために能動的ステップが講じられるときにだけ係止解除が起こってもよいように、意図的な係止を保証するために望ましい場合がある。別の例では、制約機能部は警報又は警告である。
【０００７】
したがって、円筒形部品がハウジングの中に挿入され及び一次溝と係合すると、傾斜コイルばねは除去係止を経験する、すなわち、これは、ばねを損傷せずに円筒形部品を逆方向に動かすことによって除去することができず、シングルステップ係止とも呼ばれる。本質的に係止装置を係止解除又はラッチ掛け解除を許すラッチ掛け装置に変換することによって組立体を係止解除するために、ばねは、円筒形部品の逆行を許すために回転させられる。一例では、円筒形部品は、ハウジングの中にさらに挿入され、又はハウジングは、ばねの回転を許すために係止のための元の方向と同じ方向に円筒形部品に対して動かされる。さらなる挿入ステップの間に、ばねは、一次溝よりも大きい二次溝と係合する。より大きいとは、一次溝よりもより広い、より深い、又はより広いとより深いとの両方を意味するように理解される。二次溝はより大きいので、ばねはそれほど制約されず、回転することを許される。好ましくは、二次溝は、ばねを制約しない。二次溝内のこの点から、装置は、円筒形部品を除去方向に動かすことによってラッチ掛け解除することができる。したがって、装置は、双方向ラッチ掛けを可能にする。本発明の装置、システム、及び組立体の態様は、第２の方向に動くことが許される前に積極的なステップを必要とする制約機能部を含む。
【０００８】
一次溝と二次溝との組合せは、随意的にハウジングの中に又は円筒形部品の中に組み込まれてもよい。言い換えれば、ハウジングは、単一の溝又は２つの溝を有することができ、ピンは、対応する２つの溝又は単一の溝を有することができる。
【０００９】
双方向ラッチ掛けを可能にすることに加えて、一次溝の後のより大きい二次溝は、ラッチ掛け用途での一次溝からの除去と比べてより低い除去力を提供することができる。言い換えれば、ピンをハウジングから分離するために二次溝からばねを動かす力は、ばねを第１の溝の中にあるときにこれを同じ挿入方向に動かす、動かす力よりも低い。
【００１０】
したがって、円筒形部品がハウジングの中に挿入され及び一次溝と係合すると、傾斜コイルばねは、除去ロックを経験する。ラッチ掛け解除するために、円筒形部品は、最初にハウジングの中にさらに挿入される。１つの例では、ピンがさらに挿入されるときに、ばねが二次溝と係合するようにピン上に位置する二次溝がハウジングの中に動く。具体的な例では、二次溝は第１の溝よりも大きい。より大きい二次溝に入ると、ばねは、円筒形部品を挿入方向とは反対の除去方向に動かすことによって回転することができ、及びラッチ掛け解除することができる。より大きいとは、溝は、より大きい溝深さ、より大きい体積スペース、又はこの両方を有することができる。
【００１１】
本明細書で説明されるコネクタは、物品を一緒に固定するがしかしハウジングからのピンのラッチ掛け解除及び分離を許すためにばね回転ステップを行ったときに分離を許すために、製造品と共に用いてもよい。
【００１２】
本発明の装置、システム、及び方法のさらなる特徴は、第２のコネクタ・コンポーネントと嵌合される第１のコネクタ・コンポーネントを備えるコネクタを含むように理解される。第１のコネクタ・コンポーネント又は第２のコネクタ・コンポーネントの中の又は上の溝と、第１のコネクタ・コンポーネント又は第２のコネクタ・コンポーネントのうちの他方の中又は上に位置する一対の溝が提供される。溝は、２つの側壁と底壁を有し、一対の溝は、第１の深さを有する第１の溝と、第１の深さとは異なる第２の深さを有する第２の溝とを備える。第１の溝及び溝の中に位置決めされる傾斜コイルばねは、第２の溝及び溝の中におかれるように移動可能であり、制約機能部は、第２の溝及び溝による係合から傾斜コイルばねを制約するために、挿入力によって克服されるまで第１のコネクタ・コンポーネントが第２のコネクタ・コンポーネントに対して動くのを防ぐ。
【００１３】
一実施形態では、第１のコネクタ・コンポーネントはピン又は、ハウジングであり、第２のコネクタ・コンポーネントは、ピン又はハウジングのうちの他方である。
【００１４】
別の実施形態では、第２のコネクタ・コンポーネントは製造品に取り付けられる。
【００１５】
さらに別の実施形態では、植込み可能な医療機器が提供され、第１のコネクタ・コンポーネントは、植込み可能な医療機器のヘッダの中に位置する。
【００１６】
さらに別の実施形態では、制約機能部は、つる巻ばね、反力、波形ばね、又は空気圧である。
【００１７】
さらに別の実施形態では、制約機能部は開スイッチである。
【００１８】
さらに別の実施形態では、制約機能部は、ボアの内部に位置する、つぶすことができる又は偏向させることができるコンポーネントである。
【００１９】
さらに別の実施形態では、製造品は、第１のコネクタ・コンポーネント又は第２のコネクタ・コンポーネントに取り付けられる。
【００２０】
本開示の態様はさらに、溝を有する第１のコネクタ・コンポーネントを形成すること、及び、一次溝及び二次溝を有する第２のコネクタ・コンポーネントを形成することを含む、コネクタを製造する方法を含む。方法は、第１のばね保持スペースをもつ溝と一次溝との間の第１の共通の溝と、第１の共通の溝よりも大きい第２のばね保持スペースをもつ溝と二次溝との間の第２の共通の溝をサイズ設定することをさらに含む。方法は、挿入力によって克服されるまで第１のコネクタ・コンポーネントと第２のコネクタ・コンポーネントとの間の相対運動を制限するために制約機能部を形成するステップをさらに含む。第１の共通の溝は、傾斜コイルばねを受け入れるように寸法設定され及び構成され及びその長軸に沿って傾斜コイルばねを装填し、第２の共通の溝は、傾斜コイルばねを受け入れ及びその長軸に沿ってばねを装填しないように寸法設定され及び構成される。
【００２１】
一実施形態では、方法は、第１のコネクタ・コンポーネント又は第２のコネクタ・コンポーネントに製造品を取り付けるステップをさらに含む。
【００２２】
一実施形態では、方法は、植込み可能な医療機器のヘッダの中に第１のコネクタ・コンポーネントを位置付けるステップをさらに含む。
【００２３】
さらに別の実施形態では、方法は、間隔をおいて配置された複数の一次溝を提供するステップをさらに含む。
【００２４】
一例では、制約機能部は、外側ボアの内部に位置する外部溝を有するピンを備えるサブコネクタ組立体であり、内側溝及び傾斜コイルばねを備える内側ボアにラッチ掛けされる。
【００２５】
本開示のさらなる態様では、ボア及びハウジング溝構成を有するハウジング溝を備えるハウジングを備えるコネクタが提供される。コネクタは、ピン溝構成を有するピン溝を備えるピンと、ハウジング溝又はピン溝に隣接して位置する第２の溝とをさらに含み、第２の溝は、ハウジング溝構成及びピン溝構成とは異なる第２の溝深さをもつ第２の溝構成を有する。コネクタは、ハウジング溝とピン溝との組合せによって画定される第１の共通の溝の中の第１のばね位置においてボアの中に配置され、ハウジング溝と第２の溝との組合せ又はピン溝と第２の溝との組合せによって画定される第２の共通の溝にピン及びハウジングに対して移動可能である、軸方向傾斜コイルばねをさらに備える。挿入力によって克服されるまでハウジングとピンとの間の相対運動を制約して軸方向傾斜コイルばねが第２の共通の溝に動くことを制約するために、制約機能部が提供される。
【００２６】
本発明のコネクタ、システム、及びこれに関連した方法の種々の実施形態を、有利な特徴を強調することに重点をおいてここで詳細に説明する。これらの実施形態は、単に例証する目的で付属の図面に示された新規な及び自明ではないコネクタを示す。これらの図面は、同様の番号が同様の部品を示す以下の図を含む。
【図面の簡単な説明】
【００２７】
【図１Ａ】第１のコネクタ・コンポーネントのボアの中への挿入のために位置合わせされる第２のコネクタ・コンポーネントと、さらなる前進を制約するために提供される制約機能部とを示す、双方向コネクタの略側断面図を示す。
【図１Ｂ】第１のコネクタ・コンポーネントが第１の位置において第２のコネクタ・コンポーネントとラッチ掛けされた状態の、図１Ａの双方向コネクタの略側断面図を示す。
【図１Ｃ】第１のコネクタ・コンポーネントが第２の位置で第２のコネクタ・コンポーネントとラッチ掛けされ、且つ制約機能部の反力が挿入力によって克服される状態の、図１Ａの双方向コネクタの略側断面図を示す。
【図１Ｄ】第１のコネクタ・コンポーネントが第２のコネクタ・コンポーネントとの第１のラッチ掛け位置に戻っているが、除去のためにばね角度が回転させられた状態の、図１Ａの双方向コネクタの略側断面図を示す。
【図１Ｅ】第１の製造品及び第２の製造品に取り付けられる図１Ａの双方向コネクタの略側断面図である。
【図２Ａ】第１のコネクタ・コンポーネントのボアの中への挿入のために位置合わせされる第２のコネクタ・コンポーネントと、ボア内の第１のコネクタ・コンポーネントの移動を制約するために提供される制約機能部とを示す、代替的な双方向コネクタの略側断面図を示す。
【図２Ｂ】第１のコネクタ・コンポーネント及び第２のコネクタ・コンポーネントが第１のラッチ掛け位置で傾斜コイルばねとラッチ掛けしており、且つばねを概して長軸に沿って装填している状態の、図２Ａの双方向コネクタの略側断面図を示す。
【図２Ｃ】第１のコネクタ・コンポーネントが第２のラッチ掛け位置で第２のコネクタ・コンポーネントとラッチ掛けされ、且つ制約機能部によって提供された圧力が挿入力によって克服される状態の、図２Ａの双方向コネクタの略側断面図を示す。
【図３】第１のコネクタ・コンポーネントのボアの中に位置する第２のコネクタ・コンポーネントと、挿入力によって克服されるまでさらなる前進を制約する間隔をおいて配置された複数の溝の形態の制約機能部とを示す、代替的な双方向コネクタの略側断面図を示す。
【図４】第１のコネクタ・コンポーネントのボアの中に位置する第２のコネクタ・コンポーネントと、挿入力によって克服されるまでさらなる前進を制約する間隔をおいて配置された複数の溝の形態の制約機能部とを示す、代替的な双方向コネクタの略側断面図を示す。間隔をおいて配置された複数の溝は、図３の溝に比べて溝の幾何学的形状が異なる。
【図５Ａ】第１のコネクタ・コンポーネントのボアの中に位置する第２のコネクタ・コンポーネントと、さらなる前進を制約する制約機能部とを示す、代替的な双方向コネクタの略側断面図を示す。
【図５Ｂ】制約機能部によって生じる制約力を克服した後で第１のコネクタ・コンポーネントが第２のラッチ掛け位置で第２のコネクタ・コンポーネントに係合された状態の、図５Ａの双方向コネクタの略側断面図を示す。
【図５Ｃ】図５Ａ及び５Ｂの第２のコネクタ・コンポーネントを変化させた、代替的な双方向コネクタの略側断面図を示す。
【図６Ａ】第１のコネクタ・コンポーネントのボアの中に位置する第２のコネクタ・コンポーネントと、克服されるまでさらなる前進を制約する制約機能部とを示す、代替的な双方向コネクタの略側断面図を示す。
【図６Ｂ】制約機能部によって提供された制約を克服した後で第２のコネクタ・コンポーネントが第２のラッチ掛け位置で第１のコネクタ・コンポーネントのボアの中にさらに入った状態の、図６Ａの双方向コネクタの略側断面図を示す。
【図７】第１のコネクタ・コンポーネントの２つのボアの中に位置する２つの第２のコネクタ・コンポーネントと、克服されるまで２つの第１のコネクタ・コンポーネントのさらなる前進を制約する各ボアにおける制約機能部とを示す、代替的な双方向コネクタの略側断面図を示す。
【図８】図８Ａは第１のコネクタ・コンポーネントのボアの中に位置する第２のコネクタ・コンポーネントと、電気スイッチ又はトリガを具体化する制約機能部とを示す、代替的な双方向コネクタの略側断面図を示す。図８Ｂはばねが第２のラッチ掛け位置でラッチ掛けされるように、制約機能部が励磁され、且つ第２のコネクタ・コンポーネントが第１のコネクタ・コンポーネントのボアの中にさらに入った状態の、図８Ａの双方向コネクタの略側断面図を示す。
【図９】図９Ａは、第１のコネクタ・コンポーネントのボアの中に位置する第２のコネクタ・コンポーネントと、代替的なスイッチを具体化する制約機能部とを示す、代替的な双方向コネクタの略側断面図を示す。
【図１０】図１０Ａは第１のラッチ掛け位置にある第１のコネクタ・コンポーネントのボアの中に位置する第２のコネクタ・コンポーネントと、開状態にある電気回路とを示す、代替的な双方向コネクタの略側断面図を示す。図１０Ｂは第２のコネクタ・コンポーネントが、第２のラッチ掛け位置にある第１のコネクタ・コンポーネントのボアのさらに中に位置し、且つ電気回路がばねと二次溝との間の接触によって閉じられた状態の、図１０Ａの双方向コネクタの略側断面図を示す。
【図１１】コネクタ組立体の使用方法を示すプロセスの流れ図である。
【図１２】コネクタ組立体を製造する方法を示すプロセスの流れ図である。
【図１３】封止されたハウジングと、ヘッダの中に位置するインラインコネクタとを備える、植込み可能な医療機器（ＩＭＤ）の部分切取斜視図である。
【図１４】第１のコネクタ・コンポーネントのボアの中に挿入する直前の第２のコネクタ・コンポーネントを示す、代替的な双方向コネクタの略側断面図である。
【図１５】（Ａ）は第１のコネクタ・コンポーネントのボアの中に位置する第２のコネクタ・コンポーネントと、内側サブコネクタ組立体を具体化する、さらなる前進を制約する制約機能部とを示す、代替的な双方向コネクタの略側断面図を示す。Ｂ）は制約機能部によって生じる制約力を克服した後で第１のコネクタ・コンポーネントが第２のラッチ掛け位置で第２のコネクタ・コンポーネントに係合された状態の、図１５Ａの双方向コネクタの略側断面図を示す。
【発明を実施するための形態】
【００２８】
本発明のコネクタ、システム、及びこれに関連した方法の実施形態が図面を参照して以下で説明される。これらの図面及びそれらの記述された説明は、装置の或るコンポーネントが一体に形成され、或る他のコンポーネントが別個の部品として形成されることを示す。一体に形成されるものとして本明細書で示され説明されたコンポーネントは、代替的な実施形態では別個の部品として形成されてもよいことが当該技術分野の当業者には分かるであろう。別個の部品として形成されるものとして本明細書で示され説明されたコンポーネントは、代替的な実施形態では一体に形成されてもよいことが当該技術分野の当業者にはさらに分かるであろう。さらに、本明細書で用いられる場合の一体という用語は、単一のユニット又は一体の部品を説明し、一方、一体の部品は、単一に（ｓｉｎｇｕｌａｒｌｙ）形成されるモールド又はキャストのような単一に形成される単一部品を意味する。さらにまた、本明細書で用いられる「第１の」及び「第２の」という用語は、類似しているが異なるコンポーネントを区別するためだけの、しかし構造的に限定するものではない識別名として理解される。したがって、文脈が他の意味を示さない限り、「第１の」及び「第２の」は限定する用語ではない。
【００２９】
図１Ａは、本発明の装置、システム、及び方法の態様に従って提供される、概して１０で表わされるコネクタ組立体の部分側断面図を示す。コネクタ組立体、又は単にコネクタは、第１のコネクタ・コンポーネント１２、第２のコネクタ・コンポーネント１４、及び傾斜コイルばね１６を備える。コネクタは、第２のコネクタ・コンポーネント１４の及び／又は第１のコネクタ・コンポーネント１２の中心線ＣＬを中心として概して対称である。１つの例示的な実施形態では、第１のコネクタ・コンポーネント１２は、ハウジング溝１８を備えるハウジングであり、第２のコネクタ・コンポーネント１４は、一次ピン溝２０及び一次ピン溝よりも大きい二次ピン溝２２を備える円筒形部材又はピン１４である。より大きいとは、幅、深さ、又は幅と深さとの両方において、より大きいことを意味するように理解される。別の実施形態では、第１のコネクタ・コンポーネントと第２のコネクタ・コンポーネントは逆にされる。
【００３０】
図１Ａを引き続き参照すると、第１のコネクタ・コンポーネント１２は、第２のコネクタ・コンポーネント１４を受け入れるように寸法設定されるボア２４を有し、これはさらに後述するように第２のコネクタ・コンポーネント１４が二次溝２２でばね１６と係合することができるように十分に深い。ボア２４及び第２のコネクタ・コンポーネント１４は、中心線ＣＬを中心として円形であってもよく、四角形、長方形、卵形などのような他の形状が考慮される。正「＋」及び負「−」の符号で表されるＮ極及びＳ極を有する磁石２６は、ボア２４の内部に設置される。１つの例では、磁石２６は、ファスナ、戻り止め、ねじ、接着剤、又は他の機械的手段などを用いることによって第１のコネクタ・コンポーネント１２の端壁２８と接触する状態におかれる。本明細書で使用できる磁石は、永久磁石型、一時磁石型、及び電磁石型を含むことができる。例えば、磁石２６は、ネオジム磁石又はサマリウム−コバルト磁石のような希土類磁石とすることができ、又は所望の場合に電磁気の力をもたらす電荷を帯びた粒子をパワーオン又はオフすることなどを通じて制御する又は励磁することができる。
【００３１】
第１のコネクタ・コンポーネント１２と同様に、第２のコネクタ・コンポーネント１４は磁石３０を組み込む。具体的な実施形態では、磁石３０は、遠位端又は先端３２に組み込まれるが、特定の用途に応じてどこかに位置付けることができる。磁石３０は、第１のコネクタ・コンポーネント１２のボア２４の中への第１の方向３６の第２のコネクタ・コンポーネント１４の挿入を容易にするために、テーパ３４をもつノーズ区域を組み込むことができる。上側のばね１６の断面を見ると、第２のコネクタ・コンポーネント１４がボア２４の中に挿入される際に、テーパ３４がコイル１７を反時計回りに回転させる。磁石３０は、第１のコネクタ・コンポーネント１２の中に組み込まれる磁石２６と同じタイプのものとすることができ、又は異なるものとすることができる。磁石３０は、ファスナ又は接着剤を用いて第２のコネクタ・コンポーネント１４上に設置されてもよく、さらに後述する理由でそのＮ極及びＳ極が第１のコネクタ・コンポーネント１２の磁石２６上のＮ極及びＳ極と反対になるように設置される。
【００３２】
ここで図１Ｂを参照すると、第１のコネクタ・コンポーネント１２及び第２のコネクタ・コンポーネント１４は、第１のラッチ掛け位置で一緒に係止された状態で示される。コネクタ１０は、ばね１６がハウジング溝１８と一次溝２０との間で図示のように配向され、且つ長軸、すなわち、ばね１６の各ばねコイルのより長い軸の配向に起因して第２の方向３８に動くのを防がれる、すなわち、係止されるように、円筒形部材又は第２のコネクタ・コンポーネント１４を第１の方向３６に動かすことによって第１の位置でラッチ掛けされる。図１Ｂで配向されるように、ばね１６は、その長軸、すなわち各ばねコイルのより長い軸に沿って必然的に圧縮されて第２の方向３８の除去を許すであろう。他の軸はより短い又は短軸である。しかしながら、ばねを破壊せずに第２のコネクタ・コンポーネント１４を除去できるのに十分なクリアランスを提供するためにその長軸に沿ってばねを圧縮することは一般に可能ではない。第２のコネクタ・コンポーネント１４の挿入中に、２つの磁石２６、３０の磁石反力が互いに近づいていくにつれて挿入力が次第に増加する。第１のラッチ掛け位置にあるときに、磁石反力は、第２のコネクタ・コンポーネント１４と第１のコネクタ・コンポーネント１２を互いから離れるように押す傾向があるが、ばね１６は、第２のコネクタ・コンポーネント１４が第２の方向３８に動くのを防ぐ。同時に、コネクタを第２のラッチ掛け位置（図１Ｃ）に動かすための、第１のコネクタ・コンポーネント１２のボア２４の中への第２のコネクタ・コンポーネント１４のさらなる挿入は、磁石反力によって制約される。制約は絶対的なものではなく、２つの磁石の反力よりも大きい挿入力によって克服することができる。反力はまた、所望の反力の値を提供する磁石を選択することによって調整することができる。したがって、磁石２６、３０は、第１のラッチ掛け位置から第２のラッチ掛け位置へのコネクタ１０の移動を制約する制約機能部４０となるように理解される。
【００３３】
１つの例では、ハウジング溝１８は、２つの側壁４２、４４と、概して平らな、すなわち一方又は両方の側壁と概して直交する、それらの間に位置する底壁４６とを備える。しかしながら、底壁４６は、Ｖ字溝のようにテーパされてもよく、又は一方又は両方の側壁４２、４４に対する複雑な幾何学的形状を有してもよい。
【００３４】
ハウジング溝１８と同様に、一次ピン溝２０と二次ピン溝２２との両方は、側壁４８、５０、５４、５６及び底壁５２、５８を有する。１つの例示的な実施形態では、一次ピン溝２０は、中心線ＣＬから遠ざかる方向に外向きにテーパする２つのテーパした側壁４８、５０と平らな底壁５２とを備える。別の例では、一次溝２０は、底壁なしの２つの側壁によって形成されたＶ字溝である。別の例では、本発明の組立体及び方法の精神及び範囲から逸脱することなく、側壁４８、５０は直立していてもよく、底壁５２はテーパしてもよい。別の例では、底壁５２は、複雑である、すなわち、種々の角度をもつ複数の表面を有する。二次溝２２は、一次溝よりも大きいという１つの例外をもつ、一次溝２０と類似した溝構成を有してもよい。より大きいとは、二次溝の溝の幅、溝の深さ、又は深さと幅との両方が、一次溝のものよりも大きいということである。さらに後述するように、より大きい二次溝は、ばねが回転して係止解除又はラッチ掛け解除できるようにするための十分な余地又はスペースを提供する。
【００３５】
ここで図１Ｃを参照すると、このときばね１６がハウジング溝１８と二次溝２２との間に取り込まれるように第２のコネクタ・コンポーネント１４が第１のコネクタ・コンポーネント１２の中にさらに挿入された状態の、図１Ａのコネクタ組立体１０の略側断面図が示される。ばね１６を第１の位置からラッチ掛け解除するために最初に力を適用し、第１の方向３６に動かすために本発明の実施形態では磁石２６、３０の反力である制約機能部４０を克服することによって、コネクタ１０は、図１Ｂに示された第１の位置から図１Ｃに示すように第２の位置に動かされる。コネクタを第２の位置に動かすための動かす力は、対立するＮ極がコネクタが第１のラッチ掛け位置にあるときよりも近くに強制的に近づけられていくのに伴って次第に増加する。図１Ｃの第２の弛緩位置において、ばね１６、より詳細にはコイルの長軸は、比較的より小さい一次溝２０に比べてより大きい二次溝２２により、概してより垂直に回転することを許される。その弛緩位置に回転させられると、ピンをハウジングから係止解除する又はラッチ掛け解除するためにピンを第１のコネクタ・コンポーネント１２に対して第２の方向３８に動かすことによって、ばね１６はこのとき逆回転することができる。特に、二次溝２２のテーパした側壁５４は、第２の方向２６のピンの後退中に、ばね１６に押し当たってこれを短軸、すなわちコイルのより短い軸に沿って圧縮する。後退は、磁石２６、３０の反力によってさらに容易にされ、これは如何なる磁石ももたない類似したコネクタに比べて第１のコネクタ・コンポーネントから第２のコネクタ・コンポーネント１４を動かすのに必要とされる力を減らす。図のように、ばね１６は軸方向傾斜コイルばねである。しかしながら、半径方向傾斜コイルばねが考慮される。対照的に、一次溝２０のテーパした側壁４８は、図１Ｂのその長軸に沿ってばねに概して荷重をかけ、したがって第２の方向２６の後退を許さない。
【００３６】
図１Ｄは、その第２のラッチ掛け位置に動いた後でその第１のラッチ掛け位置に戻るコネクタ１０を示す。図のように、ばね１６は、第１のコネクタ溝１８及び一次溝２０によって取り込まれるが、ばね１６のコイルの長軸は、一次溝によって最初に取り込まれるとき（図１Ｂ）とは異なる角度に回転させられる。第２のコネクタ・コンポーネント１４は、第２の方向３８にさらに動かすことによって第１のコネクタ・コンポーネント１２から完全に分離されてもよい。第１のコネクタ・コンポーネントから第２のコネクタ・コンポーネントを除去するための後退プロセスの間、一次溝２０の側壁４８は、ばねの長軸が回転させられた際にばねをその短軸に沿って圧縮するように構成されることに注意されたい。
【００３７】
図１Ｅは、第１の物品区域６２及び第２の物品区域６４を含む製造品６０の中に又は製造品６０と共に組み込まれた図１Ａ〜図１Ｄのコネクタ１０の略側面図である。図１Ｅは、第２の方向３８の第２のコネクタ・コンポーネント１４の後退を制限するが制約機能部４０が克服される場合に第１の方向３６のさらなる挿入を許す、第１のラッチ掛け位置でラッチ掛けされている製造品６０を示す。実際には、製造品６０は、あらゆる数の異なる産業及び用途にわたるあらゆる数の異なる物体を具体化してもよい。限定ではない例として、コネクタ１０は、種々の航空宇宙産業、軍事及び防衛産業、石油及びガス産業、自動車産業、送電及び配電産業、医療機器、工業、医用電子工学、環境保全技術、及び消費財産業に組み込まれてもよい。例えば、航空宇宙産業では、コネクタは、限定ではない例として、燃料結合コネクタ上のボールデテントシステムの置換えとして、ばねが第２の位置に動けるようにすることによって能動的な機械的／電気的接続及び解放を可能にする、工具を使わずにメンテナンスのために除去できるように航空機の射出シート（ｉｎｊｅｃｔｉｏｎ  ｓｅａｔ）を保持するための及びＵＡＶ（無人航空機）をレール打ち上げ（ｒａｉｌ  ｌａｕｎｃｈ）システムに係留するための工具を使わずに除去できるように航空機上のアクセスパネルを締結するためのファスナとして用いられてもよい。図１Ｅを参照すると、例えば、シート６４は、ばね１６を取り込むための溝１８を有するボアを備える対応する数の第１のコネクタ・コンポーネント１２を有する平面又は基礎６２に取り付けられるべき１つ又は複数の第２のコネクタ・コンポーネント１４と共に組み込まれてもよい。別の例では、コンポーネントは、シートが複数の第１のコネクタ・コンポーネント１２を含み、一方、平面又はデッキが対応する数の第２のコネクタ・コンポーネント１４を含むように、逆にされる。
【００３８】
別の実施形態では、図１Ａ〜図１Ｄのコネクタ１０は、ナット／ボルトの組合せ又はねじ／ねじが切られたボアの組合せを含むファスナ及びボルトの置換えとして使用可能である。例えば、第２のコネクタ・コンポーネント１４は、ボルト又はねじと置き換えられてもよく、一方、第１のコネクタ・コンポーネント１２は、ナット又はねじが切られたボアと置き換えられてもよい。第１の物品部材６２及び第２の物品部材６４は、ナット／ボルトの組合せ又はねじ／ねじが切られたボアの組合せと共に典型的に用いられるあらゆる数の物体又は装置、例えば、額縁と壁、椅子の脚と椅子シート、棚とケースなどを具体化してもよい。
【００３９】
軍事及び防衛産業では、コネクタ１０は、限定ではない例として、モジュラレーダー／ＬｉＤＡＲ／電気光学／赤外線システムの保持及び迅速な交換のための相互接続システムとして、様々な用途のための異なるモジュールの迅速な交換を可能にする地上ベースのロボット車両のためのファスナシステムとして、工具を使わずに除去できるように車両上のアクセスパネル又はアーマープレートを締結するための、及び能動的な機械的／電気的接続を提供するが車両打ち上げの時点での解放も可能にするトラック／車両搭載型ロケット／ミサイルを係留するためのファスナとして用いられてもよい。
【００４０】
石油及びガス産業では、コネクタ１０は、限定ではない例として、ダウンホール工具据え付け／回収システムとして、制御システムのケーブル及びワイヤを固定するため、ハッチドアを開閉するため、棚を固定して供給品を保持するため、並びに基礎及びプラットフォームに機械及び装置を取り付けるために用いられてもよい。
【００４１】
送電及び配電産業では、コネクタ１０は、限定ではない例として、はんだ付けの必要性と置き換えるため、制御パネルを固定するため、機械及び装置を接続するため、キャビネット及びドアを閉じるため、及び物体を一緒に固定するためにコネクタケーブルとして用いられてもよい。
【００４２】
医療機器、医用電子工学、自動車、工業、及び代替エネルギー産業では、コネクタ１０は、限定ではない例として、電気コネクタとして、機械的コネクタとして、流体ラインコネクタとして、及び電気クイックコネクタとして用いられてもよい。
【００４３】
したがって、本発明のシステム及び方法の態様は、第１のコネクタ溝を有する第１のコネクタ・コンポーネントと、一次溝及び二次溝を有する第２のコネクタ・コンポーネントとを備えるコネクタを含むように理解され、制約が克服されるまで第１の方向に沿った第１のコネクタ・コンポーネントの移動を制約するために、第１のコネクタ・コンポーネント、第２のコネクタ・コンポーネント、又はこの両方と共に形成される制約機能部、及び、第１の位置で第１のコネクタ・コンポーネントを第２のコネクタ・コンポーネントに係止するために第１のコネクタ溝と一次溝との間に取り込まれる傾斜コイルばねが組み込まれる。コネクタは、第１のコネクタ・コンポーネントの第１の方向に沿った第２の位置へのさらなる移動を可能にして傾斜コイルばねを第１のコネクタ溝と二次溝との間に取り込むために、制約機能部を克服するための機構を含むようにさらに理解される。１つの例では、制約機能部を克服するための機構は、磁石反力よりも高い挿入力の適用である。コネクタは、第２の位置にあるときにばね軸の回転を許すようにさらに理解される。コネクタは、第２のコネクタ・コンポーネントが第１のコネクタ・コンポーネントのボアの中のより深くに動く際に、増加する反力に起因して次第により大きい挿入力を必要とするようにさらに理解される。コネクタは、第２の位置にあった後で第１の方向とは反対の第２の方向に沿った第２のコネクタ・コンポーネントの移動を許すようにさらに理解される。コネクタは、磁石反力によって生じる後退力を含むようにさらに理解される。具体的な例では、第１のコネクタ・コンポーネントは、ボアを備え且つその中に位置する第１のコネクタ溝を有するハウジングである。別の例では、第１のコネクタ・コンポーネントは、外面上に位置する第１のコネクタ溝を有する円筒形部材又はピンである。さらに別の例では、制約機能部は、電気信号によって制御可能な少なくとも１つの電磁石装置によって具体化される。
【００４４】
コネクタ１０は、用途に応じて、金属、プラスチック、及びエンジニアリング・プラスチック（ＰＥＥＫ及びＰＥＫのような）からを含む、多数の異なる材料から作製されてもよい。金属はまた、複合材であってもよく、金又は銅のような高い導電性をもつ金属での金属めっき又は堆積、耐食性材料、及び／又はステンレス鋼のような高い引張強さの材料を含んでもよい。コネクタ１０は、異なるコンポーネントを単に一緒に保持するための機械的装置として、及び／又は第１のコネクタ・コンポーネント１２及び第２のコネクタ・コンポーネント１４に接続されるコンポーネント間で電気信号又は電流を伝送するための電気コネクタとして用いられてもよい。ばね１６は、単一の金属ワイヤから又は多層ワイヤから作製されてもよい。例示的な多層ワイヤは、２０１０年４月２６日に出願された米国特許出願番号第１２／７６７，４２１号、公開番号第２０１０／０２８９１９８号で開示される。
【００４５】
図２Ａは、本発明の装置、システム、及び方法の態様に従って提供される、概して６６で表わされる代替的なコネクタ組立体、又は単にコネクタの略側断面図である。図のように、コネクタ６６は、図１Ａ〜１Ｅのコネクタ１０と同様に、第２のコネクタ・コンポーネント７０のボア７２と位置合わせされ及びこの中に挿入されるように構成される第１のコネクタ・コンポーネント６８を備える。しかしながら、本発明の実施形態では、第２のコネクタ・コンポーネント７０の第１の方向３６の移動を制約するために、空気圧のような圧力上昇を引き起こすためのシールを備える修正された制約機能部７４が用いられる。
【００４６】
図２Ａに加えて図２Ｂを参照すると、第１のコネクタ溝７６に隣接してシール溝７４が組み込まれる。図示された例では、シール溝７４は、ハウジング溝７６よりも第１のコネクタ・コンポーネント６８の入口又は開口部７８の近くに位置する。別の例では、シール溝７４は、ハウジング溝７６の遠位に位置し、入口７８からさらに離れている。Ｏリングのようなシール８０は、シール溝７４の中に位置決めされ、第２のコネクタ・コンポーネント７０の外面８２に接して封止するように構成される。したがって、コネクタを図２Ｂに示された第１のラッチ掛け位置に動かすために、第２のコネクタ・コンポーネント７０がボア７２の中に挿入され、第１の方向３６に前進させられると、第１の方向３６の移動に抵抗するためにハンドバイシクル（ｈａｎｄ  ｂｉｃｙｃｌｅ）ポンプと同様にボア７２の中の圧力が上昇する。逃がしボア８４は、挿入プロセスの間の圧力上昇量を制御するために第１のコネクタ・コンポーネント６８の中に組み込まれてもよい。１つの例では、逃がしボアは、単一のボア直径をもつように寸法設定されてもよい。別の例では、逃がし弁のようなばね付き弁は、或る選択された圧力値に達したときにのみボア７２から空気又は圧力を解放するために逃がしボア８４と共に組み込まれてもよい。
【００４７】
したがって、本発明のコネクタ６６は、第１のコネクタ・コンポーネント及び第２のコネクタ・コンポーネントを含むように理解され、コネクタを第１のラッチ掛け位置に動かすための第２のコネクタ・コンポーネントの中への第１のコネクタ・コンポーネントの挿入は、挿入中の減少するボアの中の圧力上昇のためのシールである本発明の装置、組立体、及び方法の制約機能部によって生じた空気圧のような圧力を克服することができる力に加えて十分な挿入力を必要とする。具体的な実施形態では、第１のコネクタ・コンポーネントのボアの中の過度の圧力上昇を最小にするべく通気を許すために第１のコネクタ・コンポーネントの中に逃がしボアが提供される。弁が開く前のボア７２の中の最小限の圧力上昇を制御するために、ばねで作動される逃がし弁が逃がしボア８４と共に組み込まれてもよい。
【００４８】
ここで図２Ｂに加えて図２Ｃを参照すると、第２のコネクタ・コンポーネント７０は、コネクタ６６を第２のラッチ掛け位置に動かすために第１のコネクタ・コンポーネント６８のボア７２の中にさらに挿入された状態で示される。この位置において、ばね１６は、より大きい二次溝２２に起因してその第１のラッチ掛け位置から弛緩し及び回転することができる。シール８０はまた、第２のコネクタ・コンポーネント７０の外面８２のシーリングを示す。この位置から、コネクタを接続解除することができる。
【００４９】
第１のコネクタ・コンポーネント６８から第２のコネクタ・コンポーネント７０を係止解除するために、第２のコネクタ・コンポーネント７０は、ばね１６を回転させる及び制約機能部７４を克服するのに十分な後退力を適用することによって第２の方向３８に動かされる。前述のように、ばね１６は、一次溝２０に対するそのより大きいサイズに起因して二次溝２２によって取り込まれるときに回転し及び弛緩することができる。この時点で、第２のコネクタ・コンポーネント７０は、第１のコネクタ・コンポーネント６８から分離するために第２の方向３８に自由に動く。このプロセスの間に、空気が逃がしボア８４を通じてボア７２の中にパージされる。真空逃がし弁を伴う又は伴わないボア７２の中の真空を破るために、引き出すプロセスの間に別個の通気穴が組み込まれてもよい。ばね１６は、第２のコネクタ・コンポーネント７０と共に動かされ、その第１のラッチ掛け位置に戻るが、ばね１６の長軸は図１Ｄの実施形態と同様に回転させられた状態である。第１の及び第２のコネクタ・コンポーネントの言及は、異なる部品を表すことだけを意図され、コンポーネントは逆にすることができることに注意されたい。言い換えれば、第２のコネクタ・コンポーネントは、第１のコネクタ・コンポーネントと呼ばれてもよく、一方が一次溝であり他方が二次溝である２つの内部溝をハウジングが組み込む状態で、単一の外部溝を組み込んでもよい。第１の方向及び第２の方向という用語はまた、相対的な用語であり、どのコンポーネントが動いているか及びどれが静止した状態に保たれているかに依存する。
【００５０】
図１Ａ〜図１Ｅのコネクタ１０と同様に、本発明のコネクタ６６は、多様な用途で実施されてもよい。限定ではない例として、コネクタ６６は、種々の航空宇宙産業、軍事及び防衛産業、石油及びガス産業、自動車産業、送電及び配電産業、医療機器、工業、医用電子工学、環境保全技術、及び消費財産業に組み込まれてもよい。例えば、本発明のコネクタ６６は、図１Ｅに示すように第１の及び第２の物品区域又は部品に取り付けられてもよい。
【００５１】
したがって、本発明の装置、組立体、及び方法の態様は、第１のコネクタ・コンポーネント、制約機能部、及び第２のコネクタ・コンポーネントを備えるコネクタ６６を含み、制約機能部は、第１の方向又は第２の方向のいずれかの第２のコネクタ・コンポーネントの移動中に第１のコネクタ・コンポーネントのボアの中に圧力変化を引き起こす。本発明の装置、組立体、及び方法はまた、第２のコネクタ・コンポーネントのボアの内部の圧力上昇を克服することができる、動かす力を適用するときに、第１のコネクタ・コンポーネントと第２のコネクタ・コンポーネントとの間の相対運動を制約するが許す制約機能部を含むように理解される。具体的な例では、制約機能部は、第１のコネクタ・コンポーネント又は第２のコネクタ・コンポーネント（図示せず）のいずれかの中又は上に形成された溝の中に位置決めされるＯリングである。より一般には、本発明のコネクタ組立体は、第１のコネクタ及び第２のコネクタを互いに対して動かすときにポートを通じた外方への通気及びポートを通じた内方への通気を許すように理解される。
【００５２】
図３は、本発明の装置、システム、及び方法の態様に従って提供される、概して８６で表わされる代替的なコネクタの略側面図である。図のように、コネクタ８６は、第１のコネクタ溝９２と第２のコネクタ・コンポーネント９０上の一次溝２０との間に傾斜コイルばね１６を取り込むことによって互いに係止される第１のコネクタ・コンポーネント８８及び第２のコネクタ・コンポーネント９０を備える。前述のように、係止位置において、第２のコネクタ・コンポーネント９０を第２の方向３８に沿って動かすこと又は第１のコネクタ・コンポーネントを第１の方向３６に沿って動かすことによる分離が、普通は圧縮しないばねのその長軸に沿った圧縮を必要とするように、ばね１６は、その長軸、すなわちそのより長い軸に沿って装填される。しかしながら、ばね１６が回転することができて、そのためこれが次いでその短軸、すなわちそのより短い軸に沿って圧縮することができる場合に、係止解除が許される。コネクタ・コンポーネントに関する特定の滑動方向が説明されるときに、他のコネクタ・コンポーネントは静止した状態に保たれるとみなされることに注意されたい。明らかに、コンポーネントは同時に動かすことができ、又は異なるコンポーネントは静止した状態に保たれる。
【００５３】
コネクタ８６は、制約機能部が克服されるまで二次溝２２との第２のラッチ掛け位置へのコネクタの移動を制約するための制約機能部９４をさらに含む。１つの例示的な実施形態では、制約機能部９４は、間隔をおいて配置された複数の一次溝２０１．．．２０ｎであり、「ｎ」は、一次溝の総数に等しい全部の整数を表し、これは本発明の装置及びシステムでは六（６）である。他の実施形態では、一次溝の数は６未満であり、一方、幾つかの他の実施形態では６よりも多い。制約機能部は、第１の一次溝２０１と二次溝２２との間に位置する複数の一次溝２０２．．．２０ｎとして見られてもよい。したがって、第１のコネクタ・コンポーネント８８及び第２のコネクタ・コンポーネント９０が互いから離れるように動くことができる前に、ばね１６は、間隔をおいて配置された複数の一次溝２０１．．．２０ｎを通して動き、次いで二次溝２２の第２のラッチ掛け位置に動いて回転しなければならない。ばね１６が第１のコネクタ溝９２と複数の一次溝２０１．．．２０６のそれぞれとの間でラッチ掛けする際に、ばね１６は、図３に示すようにその長軸に沿って装填され、第２のコネクタ・コンポーネント９０が第２の方向３８に動くのを防ぐ。第２のラッチ掛け位置（図示せず）に動かされ、且つ二次溝２２及びハウジング溝９２によって取り込まれると、ばねは、前述のように、より大きい二次溝に起因して弛緩し、及び回転することができる。この時点で、第２のコネクタ・コンポーネント９０は、ばね１６を間隔をおいて配置された複数の一次溝２０２．．．２０６を通して第１のラッチ掛け位置（図１Ｄと同様）に戻るように動かすために、第２の方向３８に動くことができる。後退中の間隔をおいて配置された複数の一次溝２０１．．．２０６を通した連続的なラッチ掛け解除の後で、第２のコネクタ・コンポーネント９０は、このとき第１のコネクタ・コンポーネント８８及びボア９６から完全に分離することができる。
【００５４】
図のように、間隔をおいて配置された一次溝２０１．．．２０６のそれぞれは、リング又はフランジ９８によって互いから分離される。リング又はフランジ９８はまた、種々の一次溝２０１．．．２０６のための側壁として機能する。１つの例では、間隔をおいて配置された一次溝のそれぞれは、２つの側壁９８と底壁１００とを備える。図のように、２つの側壁９８は、互いに概して平行であり、且つ平らな底を有する底壁１００と直交する。他の実施形態では、一次溝は、テーパした側壁及び／又はテーパした底壁のようなテーパした壁面を有することができる。二次溝２２は、好ましくは、随意的にＶ字溝構成を有するものを含む図１Ａ〜図１Ｄを参照して上記で説明された二次溝２２と同じ溝構成を有する。
【００５５】
図１Ａ〜図２Ｃの実施形態と同様に、本発明のコネクタ８６は、２つの製造品の間の取り外し可能な接続を可能にするために第１の製造品及び／又は第２の製造品に取り付けられてもよい。
【００５６】
したがって、本発明の装置、システム、及び方法の態様は、第１のコネクタ・コンポーネント及び第２のコネクタ・コンポーネントを含む。第１のコネクタ・コンポーネントは、溝又は二次溝から間隔をおいて配置された一次溝の組合せを備え、第２のコネクタ・コンポーネントは、溝又は二次溝から間隔をおいて配置された一次溝の組合せのうちの他方を備える。コネクタは、第２のコネクタ・コンポーネントの第１の方向の移動を許すが第１のコネクタ・コンポーネントに対する第２の反対方向の移動は許さないように第１のばね角度に沿って傾斜コイルばねを取り込む及び傾斜コイルばねを装填する溝及び一次溝によって画定される第１のばね位置をさらに備える。１つの例では、第１の方向は、第１の方向の力の適用を通じて克服することができる制約機能部によって制約される。具体的な例では、制約機能部は、第１の一次溝と二次溝との間に位置する複数の一次溝である。制約機能部は、第２のコネクタ・コンポーネントの第１の方向の移動に対する制約を与えるが、これは複数の後続する一次溝２０２．．．２０ｎを通して一連の連続的な挿入力を適用することによって克服することができる。ばねが最後の一次溝を通して移動すると、第１のコネクタ・コンポーネント及び第２のコネクタ・コンポーネントは、溝及び二次溝がばねを取り込み且つばねが第１の位置にあるときとは異なるばね角度に回転することができる位置である第２のばね位置にばねを動かすために、互いに対して動いてもよい。ばねは、すべての個々の一次溝２０１．．．２０ｎよりも大きい、より大きい二次溝に起因して回転することができる。第２のばね位置で、ばねは、第２のコネクタ・コンポーネント９０が第１のコネクタ・コンポーネント８８に対して第２の方向３８に動かされるときに回転することができる。特に、二次溝２２のテーパした側壁５４は、第１のコネクタ・コンポーネントから分離するために、第２のコネクタ・コンポーネント９０の第２の方向３８の移動中にばね１６と接触し、これを回転させる。
【００５７】
図４は、本発明の装置、システム、及び方法の態様に従って提供される、概して１０２で表わされるまた別のコネクタ組立体の側面図である。本明細書のどこかで説明される他のコネクタ組立体及び装置と同様に、本発明のコネクタ組立体は、２つのラッチ掛け位置を有し、制約機能部は、第１のラッチ掛け位置と第２のラッチ掛け位置との間の移動を制御するために提供される。本発明の実施形態では、コネクタ組立体１０２は、図１Ａ、図２Ａ、及び図３を参照して説明したコネクタ組立体と同様に、第１のコネクタ溝１０８を備える第１のコネクタ・コンポーネント１０４と、一次溝２０及び二次溝２２を有する第２のコネクタ・コンポーネント１０６とを備える。本発明のコネクタ１０２では、図３のコネクタ組立体８６とさらに同様に、第２のコネクタ・コンポーネント１０６は、複数の一次溝２０１．．．２０ｎを備え、ここで、「ｎ」は、一次溝の総数に等しい全部の整数を表す。１つの具体的な実施形態では、第１のコネクタ・コンポーネント１０６は、四つ（４）の一次溝２０１．．．２０４を備え、これは、代替的に、第１の一次溝２０１と二次溝２２との中間に位置する複数の一次溝２０２．．．２０ｎを有するものとして見られてもよい。他の実施形態では、一次溝の数は、所望の用途に応じて、例えば、ばねが第２のラッチ掛け位置に動けるようになる前の挿入深さに応じて、４未満であってもよく、又は４よりも多くてもよい。
【００５８】
図４のコネクタ１０２は、第１のラッチ掛け位置及び第２のラッチ掛け位置と、本発明の実施形態では図３の実施形態と同様に複数の一次溝２０２．．．２０ｎである制約機能部１１０によって提供されるそれらの間の複数の付加的なラッチ掛け位置とを有する。しかしながら、図３のコネクタ８６とは異なり、複数の一次溝２０１．．．２０ｎのそれぞれは、第２のコネクタ・コンポーネント１０６の中心線ＣＬに対してテーパされる、テーパした底壁１１２を有する。各溝はまた、テーパされてもよいが好ましくは第２のコネクタ・コンポーネントの中心線と直交する少なくとも１つの側壁１１４を有する。コネクタ１０２は、図３のコネクタ８６を参照して上記で説明されたのと同じ様式で他の方法で使用可能である。
【００５９】
実際には、本明細書のどこかで説明される他のコネクタと同様に、コネクタ１０２は、２つの製造品を一緒に固定するために第１の製造品及び第２の製造品と共に用いられてもよい。さらに、種々のコネクタ・コンポーネント又はコネクタ部品の移動は、ギア又はリンクシステムを伴うサーボモータを用いること、電磁気の力、流体の力、及び／又は空気圧を用いることなどで自動的になされてもよい。
【００６０】
図５Ａは、本発明の装置、システム、及び方法の態様に従って提供される、概して１１６で表わされるまた別のコネクタ組立体の側断面図である。本明細書のどこかで説明される他のコネクタ組立体及び装置と同様に、本発明のコネクタ組立体は、２つのラッチ掛け位置を有し、制約機能部は、第１のラッチ掛け位置と第２のラッチ掛け位置との間の移動を制約するために提供される。図のように、コネクタ１１６は、第２のコネクタ・コンポーネント１２０を第１の方向３６に動かすことによって第１のラッチ掛け位置（図５Ａ）において互いに係合される第１のコネクタ・コンポーネント１１８及び第２のコネクタ・コンポーネント１２０を備える。第１のラッチ掛け位置において、ばね１６は、第１のコネクタ溝１２１及び一次溝２０によってその長軸に沿って装填され、これは第２のコネクタ・コンポーネント１２０が第２の方向３８に後退するのを防ぐ。
【００６１】
本発明の実施形態では、ボア１２６の中への第２のコネクタ・コンポーネント１１６のさらなる挿入を制約するために、第１のコネクタ・コンポーネント１１８と共に、ねじりコイルばね（ｈｅｌｉｃａｌ  ｃｏｉｌ  ｓｐｒｉｎｇ）１２４を備える制約機能部１２２が組み込まれる。ばね１２４と、第２のコネクタ・コンポーネント１２０のボア１２６及び／又はノーズ区域１２８の構成は、図５Ａに示すように第１のラッチ掛け位置までばねと第２のコネクタ・コンポーネントが当接しない又は触れないように選択されてもよい。別の例では、ばね１２４と第２のコネクタ・コンポーネント１２０は、第２のコネクタ・コンポーネント１２０がボア１２６の中にさらに挿入されるときに第１のラッチ掛け位置のすぐ前又はすぐ後ろで当接する又は触れることができる。
【００６２】
図５Ｂは、第２のラッチ掛け位置にある図５Ａのコネクタの側断面図である。図のように、第２のコネクタ・コンポーネント１２０は、ばね１２４によって与えられる制約を克服するためにボア１２６の中にさらに前進させられ、ばね１２４を圧縮する。第２のラッチ掛け位置において、傾斜コイルばね１６は、比較的より大きい二次溝２２に起因して回転することができる。第２のコネクタ・コンポーネント１２０は、第２の方向３８に動かすことによって第１のコネクタ・コンポーネント１１８からこのとき除去することができる。この第２の方向３８の移動中に、制約ばね１２４が広がり、第１のコネクタ・コンポーネントから離れる方への第２のコネクタ・コンポーネント１２０の後退を容易にする。実際には、コネクタ組立体１１６は、本明細書のどこかで説明される他のコネクタと同様に、２つの物品を一緒に固定するために第１の製造品及び第２の製造品と共に用いられてもよい。
【００６３】
１つの例では、制約ばね１２４は、第２のコネクタ・コンポーネント１２０による第１のコネクタ・コンポーネント１１８のボア１２６の中へのさらなる挿入が一定の力を必要とするように線形のばね定数を有するように選択される。しかしながら、ばねは、次第により大きい挿入力又は次第により小さい挿入力を必要とするように可変のばね定数をもつように選択されてもよい。例えば、ばねは、異なる直径又は金属のワイヤを有してもよく、又は、一緒に相互に接続された異なるばね定数をもつ２つ又はそれ以上の異なるばねを有してもよい。
【００６４】
したがって、本発明のコネクタは、第１のラッチ掛け位置及び第２のラッチ掛け位置を有する第１のコネクタ・コンポーネント及び第２のコネクタ・コンポーネントを含むように理解されてもよく、コネクタは、制約機能部によって第１のラッチ掛け位置から第２のラッチ掛け位置に動くことを制約される。コネクタは、制約機能部を克服した後でだけ第２のラッチ掛け位置でのラッチ掛けを許すようにさらに理解される。一実施形態では、一定のばね定数のばね力よりも大きい挿入力を適用することによって制約機能部が克服される。別の例では、ばね定数は可変である。したがって、大まかに言えば、コネクタ組立体は、多数のラッチ点の間に少なくとも１つの制約機能部がある状態で多数のラッチ点を備える。具体的な実施形態では、制約機能部はねじりコイルばねである。
【００６５】
図５Ｃは、本発明の装置、システム、及び方法の態様に従って提供される、概して１１６Ａで表わされるまた別のコネクタ組立体の側断面図である。コネクタ組立体１１６Ａは、ばね１２４を受け入れるためのくぼんだノーズ区域又はカウンタボア１３１を除いて、図５Ａ及び図５Ｃのコネクタ組立体１１６と類似している。カウンタボア１３１は、第２のコネクタ・コンポーネントによってばねに対して軸力が適用される場合にばね１２４との位置合わせを容易にし、ばねがその圧縮中に偏向するのを防ぐ。
【００６６】
図６Ａは、本発明の装置、システム、及び方法の態様に従って提供される、概して１３０で表わされる代替的なコネクタ組立体の略側断面図である。図のように、コネクタ１３０は、第１のコネクタ溝１３６と一次溝２０との間に傾斜コイルばね１６を取り込むことによって互いに係止される第１のコネクタ・コンポーネント１３２及び第２のコネクタ・コンポーネント１３４を備える。前述のように、係止位置において、第２の方向３８に沿って第２のコネクタ・コンポーネント１３４を動かすこと又は第１のコネクタ・コンポーネントを第１の方向３６に沿って動かすことによる分離が、普通はばねを破壊せずに圧縮しないばねのその長軸に沿った圧縮を必要とするように、ばね１６は、その長軸、すなわちそのより長い軸に沿って装填される。しかしながら、ばね１６が回転することができて、そのためこれが次いでその短軸、すなわちそのより短い軸に沿って圧縮することができ、第２の方向３８に沿った第２のコネクタ・コンポーネント１３４の移動を許す場合に、係止解除が許される。コネクタ・コンポーネントに関する特定の滑動方向が説明されるときに、他のコネクタ・コンポーネントは静止した状態に保たれるとみなされることに注意されたい。明らかに、コンポーネントは同時に動かすことができ、又は異なるコンポーネントは静止した状態に保たれる。
【００６７】
コネクタ１３０は、ばね１６が回転するのを防ぐために第１のコネクタ・コンポーネント１３２と第２のコネクタ・コンポーネント１３４との間の相対運動を制約するための手段をさらに含む。本発明の実施形態では、相対運動を制限するための手段は、第２のコネクタ・コンポーネント１３４が第１のコネクタ・コンポーネント１３２のボア１４０の中にさらに滑動するのを防ぐために制約機能部として作用するシャーピン１３８である。図のように、シャーピン１３８は、第１のコネクタ・コンポーネント１３２上の一対のボス１４２の中に挿入され、第２のコネクタ・コンポーネント１３４に対する制約機能部として作用するためにそれに取り外し可能に保持される。一例では、シャーピン１３８は、テーパしたフィッティングを用いてボス１４２ａ、１４２ｂと係合される。別の例では、固定ピン１３８は、ピン端１４４に対して固定するためにキャップ又はボルト（図示せず）を用いて保持される。さらに別の例では、ピン端１４４は、ボス１４２ｂにねじ式に係合される。第２のコネクタ・コンポーネント１３４の端１４６はシャーピン１３８から離間して示されるが、第２のコネクタ・コンポーネント１３４の挿入力によってシャーピン１０６が剪断されるまで２つのコネクタ・コンポーネントの間の相対運動を制約するために示されたよりも小さいギャップが組み込まれてもよいし又はギャップが組み込まれなくてもよい。
【００６８】
図６Ｂは、図６Ａのコネクタ１３０の略側断面図であり、第１のコネクタ・コンポーネント１３２からシャーピン１０６が除去され、第２のコネクタ・コンポーネント１３４が第１のコネクタ・コンポーネントのボア１４０の中にさらに前進させられてばね１６を第１のラッチ掛け位置（図６Ａ）から第２のラッチ掛け位置に動かしている状態で示される。シャーピンを除去することによって、ピンは、前進する力によって剪断されるか又は保持ボスから物理的に除去されるかのいずれかであることが理解される。第２の位置において、ばね１６は、第１のコネクタ溝１３６と第２のコネクタ・コンポーネントの二次溝２２との間に取り込まれる。図のように、ばね１６は、その長軸が概して垂直方向である、すなわち、第２のコネクタ・コンポーネント１３４の中心線に対して概して垂直であるように回転することができる。この回転は、より広い、より深い、又はより広いとより深いとの両方を意味するように理解される一次溝２０よりも大きい二次溝２２を提供することによって少なくとも部分的に可能にされる。より大きい二次溝２２は、ばね１６がそのより弛緩された位置に回転できるようにする。この第２のばね位置（図６Ｂ）から、第２のコネクタ１３４は、第１のコネクタ・コンポーネント１３２に対してそこから分離するために第２の方向３８に動くことができる。ばねは、好ましくは軸方向傾斜コイルばねである。別の例では、ばねは、半径方向傾斜コイルばねである。
【００６９】
シャーピン１３８は、第２のコネクタ・コンポーネント１３４がピン１３８（図６Ａ）に対して前進させられ、ピンの剪断強度を克服するときに、スナップする、剪断する、又は壊れるように構成される。剪断強度は、或る値で剪断するために所望のピン直径のような材料のタイプ及び／又はサイズを選択することによって所望の用途に関して選択することができる。
【００７０】
図１Ｅの実施形態と同様に、本発明のコネクタ１３０は、第１の製造品と第２の製造品との間の取り外し可能な接続を可能にするために第１の製造品及び／又は第２の製造品に取り付けられてもよい。
【００７１】
したがって、本発明の装置、システム、及び方法の態様は、第１のコネクタ・コンポーネント及び第２のコネクタ・コンポーネントを含む。第１のコネクタ・コンポーネントは、溝又は二次溝から間隔をおいて配置された一次溝の組合せを備え、第２のコネクタ・コンポーネントは、溝又は二次溝から間隔をおいて配置された一次溝の組合せのうちの他方を備える。コネクタは、第２のコネクタが第１の方向に動くことを許すが第１のコネクタ・コンポーネントに対する第２の反対方向に動くことは許さないように、第１のばね角度に沿って傾斜コイルばねを取り込む及び傾斜コイルばねを装填する、溝及び一次溝によって画定される第１のばね位置をさらに備える。１つの例では、第１の方向は制約機能部によって制約される。具体的な例では、制約機能部は、第１のコネクタ・コンポーネントに係合されたシャーピンである。シャーピンは、ピンを剪断するために第１の方向に沿った第２のコネクタ・コンポーネントの移動によって又はピンを除去することによって克服することができる第２のコネクタ・コンポーネントに対する制約を課す。この時点で、第１のコネクタ・コンポーネント及び第２のコネクタ・コンポーネントは、溝及び二次溝がばねを取り込み且つばねが第１の位置にあるときとは異なるばね角度に回転することができる位置である第２のばね位置又は第２のラッチ掛け位置にばねを動かすために、互いに対して動いてもよい。第２のばね位置で、ばねは、第２のコネクタ・コンポーネント１３４が第１のコネクタ・コンポーネント１３２に対して第２の方向３８に動かされるときに回転することができる。特に、第２の溝２２のテーパした側壁５４は、第１のコネクタ・コンポーネントから分離するために、第２のコネクタ・コンポーネント１３４の第２の方向３８の移動中にばね１６と接触し、これを回転させる。
【００７２】
図７は、本発明の装置、システム、及び方法の態様に従って提供される、概して１４８で表わされるまた別のコネクタ組立体の側断面図である。本明細書のどこかで説明される他のコネクタ組立体及び装置と同様に、本発明のコネクタ組立体は、２つの受け入れボアを有する第１のコネクタ・コンポーネントにラッチ掛けされる２つの並列に接続された第２のコネクタ・コンポーネントを有し、組立体は２つのラッチ掛け位置を有する。また、他の組立体と同様に、制約機能部は、第１のラッチ掛け位置と第２のラッチ掛け位置との間の移動を制御するために提供される。図のように、コネクタ組立体１４８は、第１のコネクタ・コンポーネント１５０と、第２のコネクタ・コンポーネント１５２、１５４を第１の方向３６に動かすことによってそれぞれの第１のラッチ掛け位置において第１のコネクタ・コンポーネントと係合する２つの第２のコネクタ・コンポーネント１５２、１５４とを備える。２つのボア１５６、１５８の中の２つの傾斜コイルばね１６は、第２のコネクタ・コンポーネント１５２、１５４のそれぞれにおける第１のコネクタ溝１６０及び一次溝２０のそれらの長軸に概して沿って装填される。装填される際に、第２のコネクタ・コンポーネント１５２、１５４は、第２の方向３８に動かすことによって第１のコネクタ・コンポーネント１５０から分離することができない。
【００７３】
コネクタ組立体１４８は、上側コネクタ組立体１４８ａを参照して、例えば第２のコネクタ・コンポーネント１５２及び第１のコネクタ・コンポーネント１５０の上側ボア１５６を参照してさらに後述されるが、第２のコネクタ・コンポーネント１５４及び下側ボア１５８のような下側コネクタ・コンポーネント組立体１４８ｂに等しく当てはまるように理解される。しかしながら、２つの異なるボア１５６、１５８のための制約機能部１６２、１６４は、それらが異なるものとして別々に説明されるであろう。加えて、第１のコネクタ・コンポーネント１５０は、ユニット式に（ｕｎｉｔａｒｉｌｙ）形成される２つの一体に形成されたボア１５６、１５８と共に示されるが、それらは別々に形成され、その後取り付けられてもよく、又は間隔をおいて配置された別個の上側ユニット及び下側ユニットとして実施されてもよい。
【００７４】
上側コネクタ組立体１４８ａを第２のラッチ掛け位置に動かして第１のコネクタ・コンポーネント１５０からの第２のコネクタ・コンポーネント１５２の分離を許すために、第１のコネクタ・コンポーネント１５２は、第１の方向３６に、そしてさらにボア１５６の中に前進するために、制約機能部１６２を克服しなければならない。図示された例では、制約機能部１６２は、第２のコネクタ・コンポーネント１５２の前進によって破損される又は別の所に動かされる、つぶすことができる又は偏向させることができる構造体である。例えば、構造体は、ノーズ区域１６６によって押されるときに別の所に動かされる、或る破損値をもつように設計される中空の管、或る圧縮力の下で砕けるハニカム構造、又は重ね板ばね又はばね付きピボット運動可能ビームのようなピボット部材とすることができる。制約機能部はまた、発泡体又は発泡体のような材料若しくは圧縮可能なゴムとすることができる。制約機能部１６２は、ボア１５６の後壁１６８に及び／又はボアの側壁１７０に設置され、くしゃくしゃにする（ｃｒｕｍｐｌｉｎｇ）又は破損させるのを容易にするために、壊れやすい区域又はキンクのある区域のような脆弱区域を含んでもよい。
【００７５】
制約機能部１６２が克服されると、第２のコネクタ・コンポーネント１５２は、ばね１６をその第２のラッチ掛け位置（図示されないが図１Ｃと類似している）に前進させ及び動かして、そのより弛緩された位置に回転させることができる。この時点で、第２のコネクタ・コンポーネントは、第２の方向３８に引き返して、ばねを、図１Ｄを参照して示される角度と類似したばね角度に回転された状態で、その第１のラッチ掛け位置に戻すことができる。第２のコネクタ・コンポーネント１５２は、第２の方向３８のその移動を続けることによって、第１のコネクタ・コンポーネント１５０からこのとき完全に分離することができる。
【００７６】
下側コネクタ組立体１４８ｂのための制約機能部１６４は、テーパされる又は円錐形に形状設定される。１つの例では、制約機能部１６４は、円錐形の圧縮ばねである。別の例では、制約機能部１６４は、或る破損値をもつように設計される金属円錐のような円錐形中空本体である。さらに別の例では、制約機能部は、互いに機械的に係合される幾つかの円錐区域を有する円錐形の入れ子式（ｔｅｌｅｓｃｏｐｉｎｇ）部材である。さらに別の例では、制約機能部は、ベルビル座金又は波形ばねである。下側コネクタ組立体１４８ｂは、上側コネクタ組立体１４８ａと類似した方法で作動することができる。
【００７７】
したがって、本発明のコネクタの態様は、傾斜コイルばねを用いる第１のラッチ掛け位置及び第２のラッチ掛け位置を有する第１のコネクタ・コンポーネント及び第２のコネクタ・コンポーネントを含むように理解され、２つの位置の間の移動は、第１のコネクタ・コンポーネントに対して第２のコネクタ・コンポーネントを前進させるために制約機能部を破損させること又は偏向させることを含む。コネクタはまた、制約機能部を破損又は偏向させた後にだけ回転することができるように、ばねを第２のラッチ掛け位置に動かすことによって第１のコネクタ・コンポーネントからの第２のコネクタ・コンポーネントの完全な分離を許すように理解される。したがって、大まかに言えば、コネクタは、多数のラッチ点の間でアクティブ化されなければならない少なくとも１つの破損させることができる又は偏向可能な機能部をもつ多数のラッチ点を備える。本発明の組立体は、２つの異なる第２のコネクタ・コンポーネントを受け入れるための２つのボアを備える第１のコネクタ・コンポーネントを含むようにさらに理解される。
【００７８】
実際には、コネクタ組立体１４８は、本明細書のどこかで説明される他のコネクタと同様に、２つの物品を一緒に固定するために第１の製造品及び第２の製造品と共に用いられてもよい。第１の製造品は、第２のコネクタ・コンポーネント１５２、１５４の両方に接続されてもよい。その場合、コネクタ組立体１４８をラッチ掛け位置から第２のラッチ掛け位置に動かすために残っている制約機能部が依然として克服される必要があるので、制約機能部１６２又は１６４のうちの１つは省略されてもよい。
【００７９】
図８Ａは、本発明の装置、システム、及び方法の態様に従って提供される、概して１７２で表わされるまた別のコネクタ組立体の側断面図である。本明細書のどこかで説明される他のコネクタ組立体及び装置と同様に、本発明のコネクタ組立体は、２つのラッチ掛け位置を有し、制約機能部は、第１のラッチ掛け位置と第２のラッチ掛け位置との間の移動を制御するために提供される。図のように、コネクタ１７２は、以下の例外をもつ前述のコネクタ組立体とすべての態様において類似した第１のコネクタ・コンポーネント１７４及び第２のコネクタ・コンポーネント１７６を備える。本発明の組立体では、制約機能部１７８は、機械的装置と電気的装置との組合せである。１つの具体的な例では、制約機能部１７８は、コントローラ又はシステム（図示せず）に接続されるワイヤ１８０を備えるスイッチ又はトリガ１７９である。図８Ａに加えて図８Ｂを参照すると、第２のコネクタ・コンポーネント１７６が第１のコネクタ・コンポーネント１７４のボア１８２の中にさらに前進させられて分離を可能にするときに、スイッチ又はトリガ１７９の回路が閉じ、コネクタ組立体１７２がアクティブ化され、接続解除される、すなわち、第１のコネクタ・コンポーネントからの第２のコネクタ・コンポーネントの分離の準備ができたことの警報を鳴らす又はインジケータを示すためにコントローラ又はシステム（図示せず）に信号が送られる。トリガ又はスイッチ１７９を伴うコネクタ組立体１７２は、コネクタの分離が警報をトリガすることになる空港又は他の制御される環境のような場所で使用可能である。したがって、第２のコネクタ・コンポーネント１７６は、ドアのような製造品に取り付けられてもよく、第１のコネクタ・コンポーネント１７４は、２つの製造品が互いから分離されるときに警報又はインジケータをトリガすることになるように、ドアの枠のような別の製造品に取り付けられてもよい。したがって、本発明の実施形態では、制約機能部は警報である。
【００８０】
図９Ａは、本発明の装置、システム、及び方法の態様に従って提供される、概して１８４で表わされるまた別のコネクタ組立体の側断面図である。本明細書のどこかで説明される他のコネクタ組立体及び装置と同様に、本発明のコネクタ組立体は、２つのラッチ掛け位置を有し、制約機能部は、第１のラッチ掛け位置と第２のラッチ掛け位置との間の移動を制御するために提供される。コネクタ組立体１８４は、第１のコネクタ・コンポーネント１８６及び第２のコネクタ・コンポーネント１８８を備え、図８Ａ及び図８Ｂのコネクタ組立体と非常に類似している。本発明のコネクタ組立体１８４では、制約機能部１９０は、図９Ｂに示すように第２のコネクタ・コンポーネント１８８のノーズ区域によって押し下げられたときに閉じるように構成される常時開（ＮＯ）コンタクトスイッチである。他の実施形態では、スイッチは、磁気スイッチ、単極単投スイッチ（ＳＰＳＴ）、単極双投スイッチ（ＳＰＤＴ）、双極単投スイッチ（ＤＰＳＴ）、又は双極双投スイッチ（ＤＰＤＴ）である。しかしながら、これが２つのコネクタ・コンポーネントをラッチ掛けしてスイッチをアクティブ化させるための傾斜コイルばねと共に第１のコネクタ・コンポーネントに対する第２のコネクタ・コンポーネントの移動を組み込むという条件で、他のスイッチ型が考慮される。
【００８１】
図１０Ａは、本発明の装置、システム、及び方法の態様に従って提供される、概して１９２で表わされるまた別のコネクタ組立体の側断面図を示す。本明細書のどこかで説明される他のコネクタ組立体及び装置と同様に、本発明のコネクタ組立体は、２つのラッチ掛け位置を有し、制約機能部（図示せず）は、第１のラッチ掛け位置と第２のラッチ掛け位置との間の移動を制御するために提供される。制約機能部は、本明細書のどこかで説明される機能部のうちのいずれかであってもよい。図のように、コネクタ１９２は、以下の例外をもつ前述のコネクタ組立体とすべての態様において類似した第１のコネクタ・コンポーネント１９４及び第２のコネクタ・コンポーネント１９６を備える。本発明の組立体では、一次溝２０を含む第２のコネクタ・コンポーネント１９６は、非導電性材料から、例えばＰＥＥＫ、ＰＥＫ、ＰＳＵ、ＡＢＳ、ＰＣ、又はＰＡのようなエンジニアリング・プラスチックから作製され、二次溝が普通は位置する場所に環状リング１９８を備える。導電性区域又はインサート２００は、本明細書のどこかで説明される他の二次溝２２と類似した溝構成を有する二次溝を形成するために環状リング１９８の中に配置される。代替的に、第２のコネクタ・コンポーネントは導電性材料から作製され、第１のコネクタ・コンポーネントは非導電性材料から作製される。
【００８２】
第１のコネクタ・コンポーネント１９４は、導電性材料から作製されてもよいし、又は非導電性材料から作製されてもよい。金属材料からである場合、傾斜コイルばね１６は、第１のコネクタ・コンポーネントの第１のコネクタ溝２０２と電気的に連通する。導電性材料からではない場合、ワイヤ又は導電性リング（図示せず）は、第１のコネクタ・コンポーネント１９４がばね１６と電気的に連通するように組み込まれてもよい。
【００８３】
図１０Ｂを参照すると、第２のコネクタ・コンポーネント１９６が第１のコネクタ・コンポーネント１９４のボア２０４の中にさらに挿入されるときに、導電性区域２００とばね１６と第１のコネクタ・コンポーネントの導電部分との間に閉ループが作製される。したがって、コネクタ組立体１９２は、スイッチ又は電気トリガとして機能することができる。別の例では、ワイヤ又はケーブル（図示せず）が第２のコネクタ・コンポーネント１９６と共に組み込まれ、導電性区域２００と電気的に連通する。ワイヤ又はケーブル（図示せず）は、取り付けられた製造品（図示せず）に位置する電気ノードに接続することができる。第１のコネクタ・コンポーネント１９４は、図１Ｅの実施形態と同様に、別の製造品に同様に取り付けられてもよい。
【００８４】
図１１は、本発明の方法の態様に従って提供される、概して２０６で表わされるコネクタ組立体の使用方法を示す概略的なプロセスの流れ図である。方法は、ステップ２０８でハウジング及びピンのような第１のコネクタ・コンポーネント及び第２のコネクタ・コンポーネントを提供するステップを含む。第１のコネクタ・コンポーネントが、溝又は間隔をおいて配置された一次溝及び二次溝を備えることができるか、又は第２のコネクタ・コンポーネントが、単一の溝又は間隔をおいて配置された一次溝及び二次溝のうちの他方を備えることができるかのどちらかである。プロセスは、ステップ２１０で第１のラッチ掛け位置において傾斜コイルばねが溝と一次溝との間にラッチ掛けされるまで、第２のコネクタ・コンポーネントを第１の方向に挿入することをさらに含む。ステップ２１２で、制約機能部は、第１のコネクタ・コンポーネント及び第２のコネクタ・コンポーネントの互いの方へのさらなる挿入を許すために挿入力によって克服される。制約機能部は、さらなる移動を制約するための警報を含む本明細書のどこかで説明される種々の機能部のうちのいずれかとすることができる。
【００８５】
プロセスは、コネクタ組立体を第２のラッチ掛け位置に動かすことをさらに含み、ステップ２１４でばねが溝と二次溝との間でラッチ掛けされる。プロセスは、ばねをその第１のラッチ掛け位置に戻るが異なるばね角度をもつように動かすために、ステップ２１６で第２のコネクタ・コンポーネントを第２の方向に動かすことをさらに含む。第２のコネクタ・コンポーネントは、第１のコネクタ・コンポーネントからこのとき分離することができる。図示されないが、コネクタ組立体は、少なくとも１つの製造品に接続されてもよい。開示された順序は特異性をもって提供されるが、これは説明されたのとは異なる順番で実施することができることに注意されたい。
【００８６】
図１２は、本発明の方法の態様に従って提供される、概して２１８で表わされるコネクタ組立体を製造する方法を示す概略的なプロセスの流れ図である。方法は、ステップ２２０で二次溝から間隔をおいて配置された溝又は一次溝を備える第１のコネクタ・コンポーネント形成するステップを含む。方法は、ステップ２２２で第１のコネクタ・コンポーネントを椅子、ドアパネル、額縁、フランジ、ケーブルなどのような第１の製造品に取り付けるステップをさらに含む。ステップ２２４で、方法は、溝及び二次溝から間隔をおいて配置された一次溝のうちの他方を備えるピンのような第２のコネクタ・コンポーネントを形成することを含む。ステップ２２６で、方法は、第２のコネクタ・コンポーネントを第２の製造品に取り付けることを含む。ステップ２２２及び２２６で取り付けることによって、コネクタ・コンポーネントは、機械的手段、溶接、及び結合などを通じて通常の意味で取り付けることができることに加えて、関連した製造品と一体化する又は単一に形成することができることを含むように理解される。最後に、ステップ２２８で、制約機能部は、克服するための又は警報をトリガすることの許可又は権限を有するために適切な挿入力を必要とする第１のコネクタ・コンポーネントの中に取り付けられる又は位置決めされる。開示された順序は特異性をもって提供されるが、これは説明されたのとは異なる順番で行うことができることに注意されたい。
【００８７】
図１３は、植込み可能な心臓除細動器、ペースメーカ、及びプログラマブル神経刺激器パルス発生器（ｐｒｏｇｒａｍｍａｂｌｅ  ｎｅｕｒｏｓｔｉｍｕｌａｔｏｒ  ｐｕｌｓｅ  ｇｅｎｅｒａｔｏｒｓ）を含むことができる、本発明の装置、システム、及び方法の態様に従って提供される植込み可能な医療機器（ＩＭＤ）２３０の斜視図である。ＩＭＤ２３０は、缶又は缶型（ｃａｎｎｅｄ）ハウジングとして当該産業では公知の封止されたハウジング２３２と、インラインコネクタ２３６を備えるヘッダ２３４とを備える。インラインコネクタ２３６は、複数の交互のシール要素２３８及び導電性要素２４０を備え、そのうちの３つの交互の組だけが示され、異なる数が考慮される。傾斜コイルばね２４２もまた、１つが導電性要素２４０のそれぞれと接触する状態で組み込まれる。ヘッダハウジング２３５、ばね２４２、導電性要素２４０、及びシール要素２３８は、リードケーブル２４４を受け入れるための共通のボアを有する。リードケーブル２４４は、心臓の心臓ペースメーカ用途のために心臓の付近のような治療されるべき身体の領域の付近に位置決めされる末端部（図示せず）を有する。ケーブル２４４は、治療的監視用途のために缶型ハウジング２３２から遠ざかる方に又はこの逆に信号を搬送するように構成される。ＩＭＤ及びインラインコネクタに関する付加的な情報は、参照により本明細書に明確に組み込まれる米国特許公開番号第２００８／０２４６２３１号及び第２００８／０２５５６３１号で開示される。他のＩＭＤ及びインラインコネクタはまた、それぞれの内容が参照により本明細書に明確に組み込まれる２０１０年３月４日に出願された同時係属出願整理番号第１２／７１７，７３２号及び２００９年１１月１３日に出願された第１２／６１８，４９３号で開示される。
【００８８】
リードケーブル２４４をヘッダのボア内に固定するために、リードケーブル上の対応する表面２５０に対して締結するための取付ねじ（ｓｅｔ  ｓｃｒｅｗ）２４８を備える保持ブロック２４６が用いられる。保持ブロック２４６は、図のようにヘッダハウジング２３５の入口に、又はヘッダの遠端に配置されてもよい。本発明の装置、システム、及び方法の態様によれば、図１Ａ、図２Ａ、図３、図４、図５Ａ、図６Ａ、及び図７のコネクタのうちのいずれかは、ＩＭＤ２３０のヘッダのリードケーブル２４４上の保持ブロック２４６と溝２５０との組合せの代わりに用いられてもよい。例えば、図１Ａ、図２Ａ、図３、図４、図５Ａ、図６Ａ、及び図７の第１のコネクタ・コンポーネントのうちのいずれかは、図１３の保持ブロック２４６の代わりに及び単一のピン溝２５０の代わりに用いられてもよく、一次溝及び二次溝は、第１のラッチ掛け位置及び第２のラッチ掛け位置を許すためにリードケーブル２４４と共に用いられる。さらに、コネクタは、図１３に示すように入口の付近に又はヘッダの遠端２３４に位置付けられてもよい。さらにまた、図１Ａ、図２Ａ、図３、図４、図５Ａ、図６Ａ、及び図７で説明されるコネクタのうちの１つを用いる修正された保持機構は、リードケーブル２４４上の単一のピン溝及び保持ブロック２４６のための２つのハウジング溝を組み込んでもよい。さらにまた、図１Ａ、図２Ａ、図３、図４、図５Ａ、図６Ａ、及び図７のコネクタは、米国特許公開番号第２００８／０２４６２３１号、第２００８／０２５５６３１号、及び米国特許出願整理番号第１２／７１７，７３２号で説明されるヘッダのうちのいずれかと共に用いられてもよい。ＩＭＤと共に組み込まれる場合、第１のコネクタ・コンポーネントは、ヘッダの入口に組み込まれる場合に貫通孔を含むように理解され、ヘッダの遠端に組み込まれる場合に貫通孔を含んでもよい。
【００８９】
図１４は、本発明の装置、システム、及び方法の態様に従って提供されるまた別のコネクタ組立体２６０の側断面図である。コネクタ組立体は、本明細書のどこかで説明される他のコネクタ組立体と同様に、第１のコネクタ溝２６６をもつ第１のコネクタ・コンポーネント２６２と、一次溝２０及び二次溝２２をもつ第２のコネクタ・コンポーネント２６４とを有する。本発明の実施形態では、溝付き面の形態の制約機能部２６８が組み込まれる。溝付き面は、ギア面と類似している。特に、第１のコネクタ・コンポーネント２６２は、第２のコネクタ・コンポーネント２６４上の溝付きピン又はシャフトのような対応する溝付き面２７２を受け入れるための溝付きボアのような溝付き面２７０を組み込む。第２のコネクタ・コンポーネント２６２は、溝付き面が位置合わせされるまで回転され、このとき次に第２のコネクタ・コンポーネントがボアの中にさらに挿入されて第２のラッチ掛け位置に動いてばね１６を回転させる。次いで、第２のコネクタ・コンポーネントを除去することができる。
【００９０】
図１５Ａは、本発明の装置、システム、及び方法の態様に従って提供される、概して２８０で表わされるまた別のコネクタ組立体の側断面図である。本明細書のどこかで説明される他のコネクタ組立体及び装置と同様に、本発明のコネクタ組立体２８０は、２つのラッチ掛け位置を有し、制約機能部は、第１のラッチ掛け位置と第２のラッチ掛け位置との間の移動を制約するために提供される。図のように、コネクタ組立体２８０は、第２のコネクタ・コンポーネント２８４を第１の方向３６に第１のコネクタ・コンポーネントのボア２９５の中に動かすことによって第１のラッチ掛け位置（図１５Ａ）において互いに係合される第１のコネクタ・コンポーネント２８２及び第２のコネクタ・コンポーネント２８４を備える。第１のラッチ掛け位置において、ばね１６は、第１のコネクタ溝２８６及び一次溝２０によってその長軸に沿って装填され、これは第２のコネクタ・コンポーネント２８４が第２の方向３８に後退するのを防ぐ。図のように、第１のコネクタ・コンポーネント２８２はハウジングであり、第２のコネクタ・コンポーネント２８４はピンである。他の実施形態では、２つの名称は逆にされる。
【００９１】
本発明の実施形態では、テーパしたノーズ区域２９４を有する内側ピン２９２及び内側ピン溝とも呼ばれる溝２９６を備えるサブコネクタ組立体２９０を備える制約機能部２８８が提供される。内側ピン２９２は、第１のコネクタ・コンポーネント及び第２のコネクタ・コンポーネントが第１のラッチ掛け位置に動くときに内側ボア溝３００及び内側ばね３０２と接続するために第２のコネクタ本体２８４の内側ボア２９８の中に動くように寸法設定され及び形状設定される。内側ばね３０２は、好ましくは半径方向傾斜コイルばねである。一実施形態では、サブコネクタ組立体２９０における接続は、２つのラッチの後で内側ピン２９２を内側ボア２９８から分離することができるという点でラッチ掛け解除を許すが、第１のコネクタ・コンポーネント２８２と第２のコネクタ・コンポーネント２８４との間の第１のラッチ掛け位置の制約に関しては、前述のようにばね１６が回転されるまで第２のコネクタ・コンポーネント２８４が第２の方向３８に動くのを防ぐ。内側ピン２９２の長さ、内側ピン溝２９６の場所、内側ボア２９８の深さ、及び内側溝３００の場所は、サブコネクタ２９０が第１のコネクタ・コンポーネント２８２と第２のコネクタ・コンポーネント２８４との間でほぼ同じときに又は実質的に同時に第１のラッチ掛け位置でラッチ掛けするように選択される。
【００９２】
図１５Ｂは、第２のラッチ掛け位置にある図１５Ａのコネクタの側断面図である。図のように、第２のコネクタ・コンポーネント２８４は、サブコネクタ２９０をラッチ掛け解除し、外側又は一次ばね１６を第１のコネクタ溝２８６と比較的より大きい二次溝２２との組合せに動かすために、第１のコネクタ・コンポーネント２８２の内側ボア２９８の中にさらに前進させられる。コネクタ組立体２８０を第１のラッチ掛け位置から第２のラッチ掛け位置に動かすときに、第１のコネクタ・コンポーネント２８２から第２のコネクタ・コンポーネント２８４をラッチ掛け解除するために力が必要とされ、内側ばね３０２及び内側ボア溝３００から内側ピン２９２をラッチ掛け解除するために付加的な力が必要とされることが理解される。この付加的な力は、コネクタ２８０組立体を第２のラッチ掛け位置に動かすことができる前に克服されなければならない制約機能部を提供する。
【００９３】
第２のラッチ掛け位置において、ばね１６は、比較的より大きい二次溝２２に起因して回転することができる。第２のコネクタ・コンポーネント２８４は、第２の方向３８に動かすことによって第１のコネクタ・コンポーネント２８２からこのとき除去することができる。この第２の方向３８の移動中に、外側ばね１６は、図１５Ｂのばねの上側部分だけを見たときに、時計回りに回転し、短軸、すなわち、短い軸に沿って圧縮する。第１のコネクタ・コンポーネントから分離するために第２のコネクタ・コンポーネント２８４を第２の方向３８に動かす際に、外側ばね１６が一次溝２０と再びラッチ掛けし、内側ばね３０２が内側ピン溝２９６と再びラッチ掛けする。しかしながら、外側ばね１６は回転させられ、内側ばね２９２はその長軸に沿って装填されないので、第１のコネクタ・コンポーネントからの第２のコネクタ・コンポーネントの完全な分離が許される。実際には、コネクタ２８０は、本明細書のどこかで説明される他のコネクタと同様に、２つの物品を一緒に固定するために第１の製造品及び第２の製造品と共に用いられてもよい。
【００９４】
したがって、本発明のコネクタ組立体は、第１のラッチ掛け位置及び第２のラッチ掛け位置を有する第１のコネクタ・コンポーネント及び第２のコネクタ・コンポーネントを含むように理解されてもよく、コネクタは、制約機能部によって第１のラッチ掛け位置から第２のラッチ掛け位置に動くことを制約される。コネクタ組立体は、制約機能部を克服した後でだけ第２のラッチ掛け位置でのラッチ掛けを許すようにさらに理解される。一実施形態では、第１のコネクタ・コンポーネントを第２のコネクタ・コンポーネントから分離するだけでなく、サブコネクタ組立体のラッチ掛け力を克服する力でもある挿入力を適用することによって制約機能部が克服される。したがって、大まかに言えば、コネクタ組立体は、多数のラッチ点の間に少なくとも１つの制約機能部がある状態で多数のラッチ点を備える。具体的な実施形態では、制約機能部は、二次コンポーネントの内側ボアの中に突き出る内側ピンを備えるサブ組立体コネクタである。
【００９５】
コネクタは、ばね１６が図１５Ａの第の１のラッチ掛け位置になるまで第２のコネクタ・コンポーネント２８４を第１のコネクタ・コンポーネント２８２のボア２９８の中に挿入することによって用いられてもよい。しかしながら、ばね１６は、サブコネクタ組立体のラッチ掛けを克服するために付加的な挿入力を必要とする制約機能部２８８が克服されるまで、図１５Ｂの第２のラッチ掛け位置に動くことができない。この時点で、第２のコネクタ・コンポーネント２８４は、外側ばね１６が回転して第１のコネクタ・コンポーネントから分離することができるように、第２のラッチ掛け位置（図１５Ｂ）に動くことができる。
【００９６】
双方向ラッチコネクタ及び組立体及びそれらのコンポーネントの限定された実施形態が本明細書で具体的に説明され及び例証されているが、多くの修正及び変形が当業者には明らかであろう。例えば、種々のコネクタ・コンポーネントは、本明細書で具体的に説明されない他の製造品と共に用いられてもよいが、物品を製作する、製造する、又は組立てる過程で１つの物品を別の物品に取り外し可能に取り付けるための手段としてそれらと共に使用可能であるように理解される。さらに、１つのコネクタ又は組立体に関して具体的に説明された特徴は、機能が適合するという条件で別のコネクタ又は組立体を含めることを採用してもよいことが理解され及び考慮される。例えば、種々の第１のコネクタ・コンポーネントが単一の溝と共に説明され、種々の第２のコネクタ・コンポーネントが一次溝及び二次溝と共に説明されるが、第１のコネクタ・コンポーネントが一次溝及び二次溝を有し、一方、第２のコネクタ・コンポーネントが単一の溝を有するという逆の配置が可能である。さらにまた、開示は、コンポーネントを第１の方向又は第２の方向に動かすことを説明し、別のコンポーネントが動いている又は両方のコンポーネントが同時にしかし互いに対して動いている状態で、１つの異なるコンポーネントを安定した状態に保つことができる。したがって、開示された装置、システム、及び方法の原理に従って構築されたコネクタ組立体及びそれらのコンポーネントは、本明細書で具体的に説明された以外で具体化されてもよいことが理解される。本開示はまた、以下の請求項で定められる。
【図１Ａ】
2013122319.tif 000003
【図１Ｃ】
2013122319.tif 000004
【図１Ｂ】
2013122319.tif 000005
【図１Ｄ】
2013122319.tif 000006
【図１Ｅ】
2013122319.tif 000007
【図２Ａ】
2013122319.tif 000008
【図２Ｂ】
2013122319.tif 000009
【図２Ｃ】
2013122319.tif 000010
【図３】
2013122319.tif 000011
【図４】
2013122319.tif 000012
【図５Ａ】
2013122319.tif 000013
【図５Ｂ】
2013122319.tif 000014
【図５Ｃ】
2013122319.tif 000015
【図６Ａ】
2013122319.tif 000016
【図６Ｂ】
2013122319.tif 000017
【図７】
2013122319.tif 000018
【図８】
2013122319.tif 000019
【図９】
2013122319.tif 000020
【図１０】
2013122319.tif 000021
【図１１】
2013122319.tif 000022
【図１２】
2013122319.tif 000023
【図１３】
2013122319.tif 000024
【図１４】
2013122319.tif 000025
【図１５】
2013122319.tif 000026
【外国語明細書】
2013122319000001.pdf